(57)【要約】【課題】より信頼性の高い入退管理を実現する事ができる入退管理装置を提供する事。【解決手段】入退管理装置３００は、管理対象エリアの入り口に位置する人の顔に基づいて、当該人が進入権限を有する権限者であるか否かを判定する、顔認証の結果を取得する顔情報取得部３２０と、顔認証の結果に応じて、権限者が所持する端末に割り当てられた許可ＩＤ情報の有効性を切り替えるＩＤ情報設定部３４０と、管理対象エリアに位置する人が所持する端末のＩＤ情報を取得し、当該ＩＤ情報が有効な許可ＩＤ情報ではないとき、進入権限を有さない非権限者が管理対象エリアに位置していると判定する、ＩＤ認証を行うＩＤ認証部３５０と、非権限者が管理対象エリアに位置していると判定されたとき、対応する所定の処理を行う扉制御部３６０および異常処理部３７０（管理処理部）と、を有する。【選択図】図５
2017010380.tif 000002
【特許請求の範囲】
【請求項１】
管理対象エリアの入り口に位置する人の顔に基づいて、前記入り口に位置する人が前記管理対象エリアへの進入権限を有する人である権限者であるか否かを判定する、顔認証の結果を取得する顔情報取得部と、
前記顔認証の結果に応じて、前記権限者が所持する端末に割り当てられたＩＤ情報である許可ＩＤ情報の有効性を切り替えるＩＤ情報設定部と、
前記管理対象エリアおよび／または前記入り口である所定のエリアに位置する人が所持する端末のＩＤ情報を取得し、取得された前記ＩＤ情報が有効な前記許可ＩＤ情報ではないとき、前記進入権限を有さない人である非権限者が前記所定のエリアに位置していると判定する、ＩＤ認証を行うＩＤ認証部と、
前記非権限者が前記所定のエリアに位置していると判定されたとき、前記非権限者が前記所定のエリアに位置している事に対応する所定の処理を行う管理処理部と、を有する、
入退管理装置。
【請求項２】
前記ＩＤ認証は、前記管理対象エリアに位置する人が所持する端末のＩＤ情報を取得し、取得された前記ＩＤ情報が有効な前記許可ＩＤ情報ではない事を条件として、前記管理対象エリアに前記非権限者が位置していると判定するエリア内ＩＤ認証を含み、
前記管理処理部は、
前記非権限者が前記管理対象エリアに位置していると判定されたとき、前記非権限者が前記管理対象エリアに位置している事に対応する所定の異常処理を行う異常処理部、を有する、
請求項１に記載の入退管理装置。
【請求項３】
前記所定の異常処理は、前記管理対象エリアの管理者に対して、前記非権限者が前記管理対象エリアに位置している事を通知する処理を含む、
請求項２に記載の入退管理装置。
【請求項４】
前記許可ＩＤ情報は、初期状態において無効であり、
前記ＩＤ情報設定部は、
前記顔認証の結果が、前記入り口に位置する人が前記権限者である事を示すとき、対応する前記許可ＩＤ情報を有効化する、
請求項２に記載の入退管理装置。
【請求項５】
前記ＩＤ情報設定部は、
前記管理対象エリアを人が退出する際に、当該管理対象エリアを退出する人が所持する端末のＩＤ情報を取得し、取得された前記ＩＤ情報が有効な前記許可ＩＤ情報であるとき、当該許可ＩＤ情報を無効化する、
請求項４に記載の入退管理装置
【請求項６】
前記ＩＤ情報設定部は、
有効な前記許可ＩＤ情報を、当該前記許可ＩＤ情報が有効化されてからの経過時間が所定の閾値に到達したときに無効化する、
請求項４に記載の入退管理装置
【請求項７】
前記ＩＤ認証は、前記入り口に位置する人が所持する端末のＩＤ情報を取得し、取得された前記ＩＤ情報が有効な前記許可ＩＤ情報である事を条件として、前記入り口に前記権限者が位置していると判定する入り口ＩＤ認証を含み、
前記管理処理部は、
前記入り口ＩＤ認証の結果に応じて、前記入り口の開閉状態を制御する扉制御部、を有する、
請求項１に記載の入退管理装置。
【請求項８】
前記入り口は、初期状態において閉鎖しており、
前記扉制御部は、
前記入り口に前記権限者が位置していると判定されたとき、前記入り口を一時的に開放させる、
請求項７に記載の入退管理装置。
【請求項９】
前記入り口を撮影した画像に対し前記顔認識を行う顔検出装置と通信を行う通信部、を有し、
前記顔情報取得部は、
前記通信部を介して、前記顔検出装置から前記顔認識の結果を取得する、
請求項１に記載の入退管理装置。
【請求項１０】
管理対象エリアの入り口に位置する人の顔に基づいて、前記入り口に位置する人が前記管理対象エリアへの進入権限を有する人である権限者であるか否かを判定する、顔認証の結果を取得するステップと、
前記顔認証の結果に応じて、前記権限者が所持する端末に割り当てられたＩＤ情報である許可ＩＤ情報の有効性を切り替えるステップと、
前記管理対象エリアおよび／または前記入り口である所定のエリアに位置する人が所持する端末のＩＤ情報を取得し、取得された前記ＩＤ情報が有効な前記許可ＩＤ情報ではないとき、前記進入権限を有さない人である非権限者が前記所定のエリアに位置していると判定する、ＩＤ認証を行うステップと、
前記非権限者が前記所定のエリアに位置していると判定されたとき、前記非権限者が前記所定のエリアに位置している事に対応する所定の処理を行うステップと、を有する、
入退管理方法。
【発明の詳細な説明】
【技術分野】
【０００１】
本開示は、管理対象エリアへの人の進入を管理する入退管理装置および入退管理方法に関する。
【背景技術】
【０００２】
従来、管理対象エリアへの人の進入を管理する技術が存在する（例えば、特許文献１参照）。特許文献１に記載の技術（以下「従来技術」という）では、まず、管理対象エリアへの進入権限を有する人（以下「権限者」という）対して、当該権限者に割り当てられたＩＤ情報を保持したＩＣカードが渡される。そして、従来技術は、管理対象エリアの入り口に位置する人が所持するＩＣ（Integrated Circuit）カードのＩＤ情報に基づいて、その人が権限者であるか否かを判定するＩＤ認証を行い、その結果に応じて入り口の開閉状態を制御する。このような従来技術によれば、権限者が入り口に来たときに限定して入り口を開放する事ができ、管理対象エリアへの人の進入を制限する事ができる。
【先行技術文献】
【特許文献】
【０００３】
【特許文献１】特開２０１１−１７９２５０号公報
【発明の概要】
【発明が解決しようとする課題】
【０００４】
しかしながら、ＩＣカードは、当該ＩＣカードが割り当てられた人以外の人によって所持されたり、偽造されたり、ＩＤ情報が改ざんされたりする可能性がある。これらの場合、ＩＣカードのＩＤ情報と当該ＩＣカードを所持する人とがマッチしなくなり、不正にＩＤ認証が行われる事になる。更に、このような不正なＩＤ認証は、管理対象エリアへの進入権限を有さない人（以下「非権限者」という）によって行われる可能性もある。したがって、従来技術では、信頼性の高い入退管理を実現する事が難しい。
【０００５】
本開示の目的は、より信頼性の高い入退管理を実現する事ができる入退管理装置および入退管理方法を提供する事である。
【課題を解決するための手段】
【０００６】
本開示の入退管理装置は、管理対象エリアの入り口に位置する人の顔に基づいて、前記入り口に位置する人が前記管理対象エリアへの進入権限を有する人である権限者であるか否かを判定する、顔認証の結果を取得する顔情報取得部と、前記顔認証の結果に応じて、前記権限者が所持する端末に割り当てられたＩＤ情報である許可ＩＤ情報の有効性を切り替えるＩＤ情報設定部と、前記管理対象エリアおよび／または前記入り口である所定のエリアに位置する人が所持する端末のＩＤ情報を取得し、取得された前記ＩＤ情報が有効な前記許可ＩＤ情報ではないとき、前記進入権限を有さない人である非権限者が前記所定のエリアに位置していると判定する、ＩＤ認証を行うＩＤ認証部と、前記非権限者が前記所定のエリアに位置していると判定されたとき、前記非権限者が前記所定のエリアに位置している事に対応する所定の処理を行う管理処理部と、を有する。
【０００７】
本開示の入退管理方法は、管理対象エリアの入り口に位置する人の顔に基づいて、前記入り口に位置する人が前記管理対象エリアへの進入権限を有する人である権限者であるか否かを判定する、顔認証の結果を取得するステップと、前記顔認証の結果に応じて、前記権限者が所持する端末に割り当てられたＩＤ情報である許可ＩＤ情報の有効性を切り替えるステップと、前記管理対象エリアおよび／または前記入り口である所定のエリアに位置する人が所持する端末のＩＤ情報を取得し、取得された前記ＩＤ情報が有効な前記許可ＩＤ情報ではないとき、前記進入権限を有さない人である非権限者が前記所定のエリアに位置していると判定する、ＩＤ認証を行うステップと、前記非権限者が前記所定のエリアに位置していると判定されたとき、前記非権限者が前記所定のエリアに位置している事に対応する所定の処理を行うステップと、を有する。
【発明の効果】
【０００８】
本開示によれば、より信頼性の高い入退管理を実現する事ができる。
【図面の簡単な説明】
【０００９】
【図１】本開示の一実施の形態に係る入退管理システムの概要を示す図
【図２】本実施の形態に係る入退管理システムの構成の一例を示すシステム構成図
【図３】本実施の形態における各装置の配置を模式的に示す図
【図４】本実施の形態に係る顔検出装置の構成の一例を示すブロック図
【図５】本実施の形態に係る入退管理装置の構成の一例を示すブロック図
【図６】本実施の形態に係る入退管理装置の動作の一例を示すフローチャート
【図７】本実施の形態に係る入退管理システムの動作の一例を示すシーケンス図
【発明を実施するための形態】
【００１０】
以下、本開示の一実施の形態について、図面を参照して詳細に説明する。
【００１１】
＜システムの概要＞
まず、本実施の形態に係る入退管理装置を含む入退管理システムの概要について説明する。
【００１２】
図１は、本実施の形態に係る入退管理装置を含む入退管理システムの概要を示す図である。
【００１３】
図１に示すように、入退管理システム１００は、管理対象エリア１１０について、管理対象エリア１１０への人１２０の進入を管理するシステムである。
【００１４】
入退管理システム１００は、管理対象エリア１１０内の区画扉１３０を通過しようとする人１２０に対してＩＤ認証を行い、ＩＤ認証が成功した場合にのみ、区画扉１３０を開放する。
【００１５】
ここで、ＩＤ認証とは、人１２０が所持する端末（図示せず）のＩＤ情報に基づいて、その人１２０が管理対象エリア１１０への進入権限を有する権限者であるか否かを判定する事である。
【００１６】
人１２０が所持する端末は、権限者に割り当てられた文字列等のＩＤ情報を保持しており、本実施の形態において、かかる端末は、ＩＣカードであるものとする。ＩＣカードは、区画扉１３０付近に設置されたカードリーダ（図示せず）に対して、保持するＩＤ情報を送信する。入退管理システム１００の入退管理装置３００は、カードリーダが受信したＩＤ情報に基づいてＩＤ認証行い、ＩＤ認証が成功した場合、上述の通り区画扉１３０を開放する。
【００１７】
すなわち、管理対象エリア１１０に進入した人１２０は、ＩＤ認証が成功しなければ、管理対象エリア１１０内を自由に移動する事ができないようになっている。
【００１８】
ところが、上述の通り、人１２０と当該人１２０が所持するＩＣカードのＩＤ情報とがマッチしていない場合、非権限者が管理対象エリア１１０を自由に移動する等の事態が発生し得る。
【００１９】
そこで、入退管理システム１００は、管理対象エリア１１０の入り口１４０において、当該入り口を通過して管理対象エリア１１０に進入する人１２０の顔を撮影するカメラ１５０と、撮影された顔について顔認証を行う顔検出装置２００とを有する。そして、入退管理装置３００は、ＬＡＮ（Loaca Area Network）等の通信ネットワーク１６０を介して顔検出装置２００から顔認証の結果を示す顔情報を取得し、顔認証の結果に応じて権限者に割り当てられたＩＤ情報の有効性を切り替えて、上記ＩＤ認証を行う。
【００２０】
なお、入退管理装置３００は、管理対象エリア１１０の出口１７０から退出する人１２０が所持するＩＣカードからＩＤ情報を取得し、取得されたＩＤ情報の有効性を切り替える。
【００２１】
すなわち、入退管理システム１００は、管理対象エリア１１０に進入する人１２０の顔認証の結果を用いてＩＤ情報の有効性を切り替える事により、不正なＩＤ認証が成功するのを防止する。
【００２２】
なお、本実施の形態のＩＤ認証においては、管理対象エリア１１０に進入する権限を有さない人のみならず、管理対象エリア１１０に進入する権限を有しているものの他の権限者のＩＣカード１２１を使用している人についても、非権限者として扱うものとする。
【００２３】
＜システムの構成＞
次に、入退管理システム１００の構成について説明する。
【００２４】
図２は、入退管理システム１００の構成の一例を示すシステム構成図である。また、図３は、管理対象エリア１１０における各装置の配置を模式的に示す図である。
【００２５】
図２において、入退管理システム１００は、第１〜第Ｎ（Ｎは２以上の整数）の管理対象エリア１１０１〜１１０Ｎのそれぞれについて、人の進入を管理する。なお、入退管理システム１００が管理する管理対象エリア１１０は、１つのみであってもよい。
【００２６】
入退管理システム１００は、管理対象エリア１１０毎に、カメラ１５０、区画扉１３０、カードリーダ１３１、扉制御装置１３２、および退出用カードリーダ１７１を有する。また、入退管理システム１００は、１つまたは複数の管理対象エリア１１０に対応して、顔検出装置２００、入退管理装置３００、およびパーソナルコンピュータ（ＰＣ）４００を有する。
【００２７】
なお、各管理対象エリア１１０のカメラ１５０、カードリーダ１３１、扉制御装置１３２、および退出用カードリーダ１７１、並びに、入退管理装置３００、顔検出装置２００、およびパーソナルコンピュータ４００は、通信ネットワーク１６０により通信可能に接続されている。
【００２８】
カメラ１５０は、管理対象エリア１１０の入り口において、管理対象エリア１１０に進入する人の顔を撮影するカメラである（図３参照）。カメラ１５０は、撮影した画像を、顔検出装置２００へ送信する。
【００２９】
なお、カメラ１５０の撮影画像は、当該画像から人の顔を検出する事により、管理対象エリア１１０に進入する人に対する顔認証を高精度に行う事が可能な画像である必要がある。管理対象エリア１１０に進入しようとする人は、通常、入り口１４０に顔を向けている。したがって、カメラ１５０は、例えば、入り口１４０の近傍の、人の顔の平均的な高さの位置に、管理対象エリア１１０の外側に向けて設置され、入り口１４０の映像を撮影する。なお、カメラ１５０は、例えば、管理対象エリア１１０の内部に配置され、入り口１４０付近を管理対象エリア１１０側から見た映像を撮影してもよい。
【００３０】
区画扉１３０は、管理対象エリア１１０の中の複数の区画の境界の、管理対象エリア１１０に進入した人が通過する部分（例えば、ある区画の入り口）に設けられた扉である（図３参照）。区画扉１３０は、例えば、電子錠が付いた扉、あるいは、自動ドアである。
【００３１】
カードリーダ１３１は、区画扉１３０の近傍に配置され、権限者に配布されるＩＣカード１２１が近付いたとき、当該ＩＣカード１２１が保持するＩＤ情報を読み取る（図３参照）。そして、カードリーダ１３１は、取得されたＩＤ情報を、入退管理装置３００へ送信する。
【００３２】
なお、ＩＣカード１２１は、例えば、ＢＬＥ（Bluetooth（登録商標） Low Energy）タグを内蔵し、カードリーダ１３１からの電波（ビーコン）を受けてＩＤ情報を無線送信する。この場合、ＩＣカード１２１は、ＢＬＥ端末であり、カードリーダ１３１は、ＢＬＥビーコンを送信する事により、その応答としてＩＤ情報からカードリーダ１３１を受信する。
【００３３】
扉制御装置１３２は、入退管理装置３００から送信される扉制御情報を受信し、受信された扉制御情報に従って、区画扉１３０の開閉（開放／閉鎖）を制御する（図３参照）。
【００３４】
なお、区画扉１３０の開放とは、区画扉１３０の電子錠を開錠する事や、自動ドアとしての区画扉１３０を開ける事を含む。また、区画扉１３０の閉鎖とは、区画扉１３０の電子錠を施錠する事や、自動ドアとしての区画扉１３０を閉める事を含む。また、扉制御装置１３２は、通常状態において、区画扉１３０を閉鎖させているものとする。
【００３５】
退出用カードリーダ１７１は、管理対象エリア１１０の出口に配置され、ＩＣカード１２１が近付いたとき、ＢＬＥビーコンの送信等により、当該ＩＣカード１２１が保持するＩＤ情報を読み取る（図３参照）。そして、退出用カードリーダ１７１は、取得されたＩＤ情報を、退出ＩＤ情報として、入退管理装置３００へ送信する。
【００３６】
顔検出装置２００は、カメラ１５０から受信した映像に対して、映像に含まれる人の顔に対する顔認証を行い、管理対象エリア１１０に進入した人が権限者であるか否かを判定する。そして、顔検出装置２００は、顔認証の結果（成功／失敗）を示す顔情報を、入退管理装置３００へ送信する。顔検出装置２００の構成については後述する。
【００３７】
入退管理装置３００は、顔検出装置２００から送信される顔情報を受信し、顔情報が示す顔認証の結果に応じて、権限者が所持するＩＤカード端末に割り当てられた（つまり、権限者に割り当てられた）ＩＤ情報（以下「許可ＩＤ情報」という）を有効化する。なお、許可ＩＤ情報は、初期状態において、無効となっている。
【００３８】
また、入退管理装置３００は、カードリーダ１３１から送信されるＩＤ情報を受信し、受信されたＩＤ情報についてＩＤ認証を行う。但し、入退管理装置３００は、ＩＤ情報が有効な許可ＩＤ情報ではないとき、非権限者が管理対象エリア１１０に位置していると判定する。すなわち、入退管理装置３００は、区画扉１３０を通過しようとする人が所持するＩＣカード１２１のＩＤ情報が有効な許可ＩＤ情報ではないとき、当該人が非権限者であると判定する。
【００３９】
そして、入退管理装置３００は、非権限者が管理対象エリア１１０に位置していると判定されたとき、非権限者が管理対象エリア１１０に位置している事に対応する所定の処理を行う。入退管理装置３００の構成については後述する。
【００４０】
なお、ＩＣカード１２１のＩＤ情報としては、有効な許可ＩＤ情報、無効な許可ＩＤ情報、および権限者が所持する端末に割り当てられていないＩＤ情報（以下「無許可ＩＤ情報」という）の３種類が有り得る。
【００４１】
入退管理装置３００は、有効な許可ＩＤ情報をカードリーダ１３１から受信したとき、例えば、区画扉１３０を一時的に開放する事を指示する扉制御情報を、扉制御装置１３２へ送信する。
【００４２】
また、入退管理装置３００は、無効な許可ＩＤ情報、あるいは、無許可ＩＤ情報をカードリーダ１３１から受信したとき、例えば、非権限者が管理対象エリア１１０に位置している事を管理者に通知する異常通知情報を、パーソナルコンピュータ４００へ送信する。更に、この場合、入退管理装置３００は、区画扉１３０の開放を指示する扉制御情報を送信しないという処理を行う事により、区画扉１３０が閉鎖された状態を継続させる。
【００４３】
パーソナルコンピュータ４００は、管理者が使用する情報出力装置であり、例えばモニタやスピーカを含む。パーソナルコンピュータ４００は、入退管理装置３００から異常通知情報を受信したとき、警告情報の表示および／または警告音の出力を行う。
【００４４】
なお、顔検出装置２００および入退管理装置３００は、それぞれ、管理対象エリア１１０毎に情報を処理する。
【００４５】
このような入退管理システム１００は、ＩＣカード１２１に対するＩＤ認証と、撮影画像を用いた顔認証とを組み合わせて、管理対象エリア１１０に非権限者が進入しているか否かを判定する事ができる。すなわち、入退管理システム１００は、管理対象エリア１１０に進入する人の顔認証の結果を用いてＩＤ情報の有効性を切り替える事により、不正なＩＤ認証が成功するのを防止する事ができる。
【００４６】
なお、非権限者の顔が権限者の顔であると誤判定される可能性は、権限者の顔が非権限者の顔であると誤判定される可能性に比べて非常に低い。すなわち、顔認証が成功した、有効な許可ＩＤ情報のＩＤカード１２１を所持する人は、権限者である可能性が非常に高い。したがって、入退管理システム１００は、有効な許可ＩＤ情報であるか否かを判断基準とする事により、管理対象エリア１１０への非権限者の進入をより確実に検知する事ができる。
【００４７】
また、入退管理システム１００は、管理対象エリア１１０の入り口で顔認証を行うので、カメラ１５０の設置場所を１カ所とする事ができる。また、各権限者は、管理対象エリア１１０の中に居る間、ハンズフリーで権限者である事の認証を受ける事ができる。
【００４８】
なお、入退管理システム１００は、複数個所にカメラ１５０を設置して複数回の顔認識を行ってもよい。これにより、権限者の顔が非権限者の顔であると誤判定される可能性を低減する事ができる。
【００４９】
＜各装置の構成＞
次に、顔検出装置２００および入退管理装置３００の構成について説明する。
【００５０】
図４は、顔検出装置２００の構成の一例を示すブロック図である。
【００５１】
図４において、顔検出装置２００は、顔検出側通信部２１０、顔情報格納部２２０、顔検出部２３０、および顔認証部２４０を有する。
【００５２】
顔検出側通信部２１０は、通信ネットワーク１６０に接続する通信インタフェースであり、通信ネットワーク１６０を介してカメラ１５０、入退管理装置３００、およびパーソナルコンピュータ４００等と通信可能に接続する。
【００５３】
顔情報格納部２２０は、顔を含む画像から、当該顔を検出するための顔検出情報を格納する。顔検出情報は、例えば、多数の顔画像のサンプルから得られた顔のガボール特徴量や、目や口等の各顔部品の画像パターン等、顔画像の特徴を表す情報である。また、顔情報格納部２２０は、検出された顔が、権限者の顔であるか否かを判定するための顔認証情報を、権限者の顔毎に当該権限者の許可ＩＤ情報と対応付けて格納する。顔認証情報は、例えば、顔の幅と左右の目尻の間の距離と左右の口角の間の距離との比率等の顔の特徴を示す情報である。
【００５４】
顔情報格納部２２０が格納する顔検出情報および顔認証情報は、例えば、顔情報格納部２２０が備えるモニタ、キーボード、およびマウス等のユーザインタフェース（図示せず）を介して管理者により設定されてもよいし、パーソナルコンピュータ４００から遠隔で設定されてもよい。
【００５５】
顔検出部２３０は、顔検出側通信部２１０を介してカメラ１５０から撮影映像を受信し、顔情報格納部２２０の顔検出情報を用いて、受信された撮影映像から顔を検出する。そして、顔検出部２３０は、検出された顔の領域を示す情報、あるいは、検出された顔の特徴を示す情報を、顔認証部２４０へ出力する。
【００５６】
顔認証部２４０は、顔情報格納部２２０の顔認証情報を用いて、顔検出部２３０により検出された顔に対して顔認証を行う。顔認証部２４０は、かかる顔認証に用いる顔の特徴を、顔検出部２３０から取得してもよいし、撮影映像から取得してもよい。
【００５７】
そして、顔認証部２４０は、少なくとも顔認証が成功した権限者の許可ＩＤ情報を示す情報を、顔情報として、顔検出側通信部２１０を介して入退管理装置３００へ送信する。なお、顔認証部２４０は、顔情報の入退管理装置３００への送信を、顔認証が成功する毎に行ってもよいし、定期的に行っても良い。あるいは、顔認証部２４０は、入退管理装置３００から要求を受けたタイミングで、未送信の顔情報を入退管理装置３００へ送信してもよい。また、顔認証部２４０は、撮影映像および顔認証の結果を示す情報を、顔検出側通信部２１０を介して逐次パーソナルコンピュータ４００へ送信してもよい。
【００５８】
このような構成を有する顔検出装置２００は、管理対象エリア１１０の入り口に位置する人の顔に基づいて、その人が権限者であるか否かを判定する顔認証を行い、顔認証の結果を示す顔情報を、入退管理装置３００へ逐次送信する事ができる。
【００５９】
図５は、入退管理装置３００の構成の一例を示すブロック図である。
【００６０】
図５において、入退管理装置３００は、入退管理側通信部３１０、顔情報取得部３２０、ＩＤ情報格納部３３０、ＩＤ情報設定部３４０、ＩＤ認証部３５０、扉制御部３６０、および異常処理部３７０を有する。
【００６１】
入退管理側通信部３１０は、通信ネットワーク１６０に接続する通信インタフェースであり、通信ネットワーク１６０を介してカードリーダ１３１、扉制御装置１３２、顔検出装置２００、およびパーソナルコンピュータ４００等と通信可能に接続する。
【００６２】
顔情報取得部３２０は、顔検出装置２００から送信される顔情報を、入退管理側通信部３１０を介して受信する。そして、顔情報取得部３２０は、受信された顔情報を、ＩＤ情報設定部３４０へ出力する。
【００６３】
なお、顔情報取得部３２０は、顔検出装置２００から送信される顔情報を都度受信してもよいし、顔検出装置２００に対して任意のタイミングで顔情報の送信を要求してもよい。かかるタイミングは、例えば、ＩＤ認証が行われるタイミングである。
【００６４】
ＩＤ情報格納部３３０は、許可ＩＤ情報を格納する。但し、ＩＤ情報格納部３３０に格納される各許可ＩＤ情報には、有効であるか否かを示す有効性情報が設定される。有効性情報は、初期状態において対応する許可ＩＤ情報が無効である事を示す。
【００６５】
ＩＤ情報格納部３３０が格納する許可ＩＤ情報は、例えば、ＩＤ情報格納部３３０が備えるユーザインタフェース（図示せず）を介して管理者により設定されてもよいし、パーソナルコンピュータ４００から遠隔で設定されてもよい。
【００６６】
ＩＤ情報設定部３４０は、顔情報取得部３２０から出力される顔情報に基づいて、ＩＤ情報格納部３３０に格納された許可ＩＤ情報に設定される有効性情報を書き換え、当該許可ＩＤ情報の有効性を切り替える。より具体的には、ＩＤ情報設定部３４０は、ＩＤ情報格納部３３０に格納された許可ＩＤ情報のうち、顔情報が示す顔認証が成功した許可ＩＤ情報を有効化する。
【００６７】
また、ＩＤ情報設定部３４０は、退出用カードリーダ１７１から送信される退出ＩＤ情報を、入退管理側通信部３１０を介して受信する。そして、ＩＤ情報設定部３４０は、受信された退出ＩＤ情報を、ＩＤ情報格納部３３０に格納された許可ＩＤ情報のうち、有効な（有効化された）許可ＩＤ情報で検索する。そして、ＩＤ情報設定部３４０は、検索された許可ＩＤ情報に設定される有効性情報を書き換え、当該許可ＩＤ情報を無効化する。
【００６８】
ＩＤ認証部３５０は、カードリーダ１３１から送信されるＩＤ情報を、入退管理側通信部３１０を介して受信する。そして、受信されたＩＤ情報に基づいて、区画扉１３０を通過しようとする人に対するＩＤ認証を行う。
【００６９】
より具体的には、ＩＤ認証部３５０は、ＩＤ情報格納部３３０を参照して、受信されたＩＤ情報が許可ＩＤ情報のいずれかに一致するか否かを判定する。またＩＤ認証部３５０は、一致する許可ＩＤ情報が存在する場合、当該許可ＩＤ情報が有効であるか否かを判定する。そして、ＩＤ認証部３５０は、受信されたＩＤ情報が有効な許可ＩＤ情報である場合、ＩＤ認証を成功とし、その他の場合、ＩＤ認証を失敗とする。
【００７０】
そして、ＩＤ認証部３５０は、ＩＤ認証が成功した場合、その旨を示す認証成功情報を扉制御部３６０へ出力する。なお、ＩＤ認証部３５０は、ＩＤ認証が成功したＩＤ情報を含めた認証成功情報を、入退管理側通信部３１０を介してパーソナルコンピュータ４００へ送信してもよい。
【００７１】
また、ＩＤ認証部３５０は、ＩＤ認証が失敗した場合、その旨を示す認証失敗情報を異常処理部３７０へ出力する。なお、ＩＤ認証部３５０は、認証失敗情報を扉制御部３６０にも出力してもよい。
【００７２】
扉制御部３６０は、認証成功情報が入力されたとき、区画扉１３０の開放を指示する扉制御情報を、入退管理側通信部３１０を介して扉制御装置１３２へ送信する。なお、扉制御部３６０は、認証失敗情報が入力されたとき、区画扉１３０の一定期間の閉鎖を指示する扉制御情報を、入退管理側通信部３１０を介して扉制御装置１３２へ送信してもよい。
【００７３】
異常処理部３７０は、ＩＤ認証部３５０から認証失敗情報が出力されたとき、非権限者が管理対象エリア１１０に位置している事に対応する所定の処理を行う。本実施の形態において、かかる所定の処理は、非権限者が管理対象エリア１１０内の区画扉１３０を通過しようとしている事を管理者に通知する事を指示する警告情報を、入退管理側通信部３１０を介してパーソナルコンピュータ４００へ送信する処理である。
【００７４】
なお、警告情報は、区画扉１３０を通過しようとしている人から取得されたＩＤ情報や、取得されたＩＤ情報が、無効な許可ＩＤ情報および無許可ＩＤ情報のうちのいずれであるかを示す情報を含んでもよい。
【００７５】
なお、パーソナルコンピュータ４００は、例えば、警告情報を受信したとき、当該警告情報に従って、非権限者が管理対象エリア１１０に進入している事や、非権限者の位置（区画扉１３０）を示すテキスト情報を、モニタに表示する。
【００７６】
また、扉制御部３６０および異常処理部３７０は、非権限者が管理対象エリア１１０に位置していると判定されたときに非権限者が管理対象エリア１１０に位置している事に対応する所定の処理を行う、管理処理部と捉える事もできる。
【００７７】
このような構成を有する入退管理装置３００は、ＩＣカード１２１を用いたＩＤ認証の結果と、顔検出装置２００からの顔情報が示す顔検出の結果とに基づいて、非権限者が管理対象エリア１１０に位置しているか否かを判定し、適切な処理を行う事ができる。
【００７８】
なお、顔検出装置２００および入退管理装置３００は、図示しないが、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路をそれぞれ有する。この場合、上記した各部の機能は、ＣＰＵが制御プログラムを実行する事により実現される。
【００７９】
このような構成を有する入退管理システム１００によれば、ＩＤ認証の結果だけでなく、顔認証の結果を利用する。これにより、管理対象エリア１１０への非権限者の進入をより確実に検知して区画扉１３０の閉鎖や管理者への通知を行う事ができ、信頼性の高い入退管理を実現する事ができる。
【００８０】
＜入退管理装置の動作＞
次に、入退管理装置３００の動作について説明する。
【００８１】
図６は、入退管理装置３００の動作の一例を示すフローチャートである。入退管理装置３００は、例えば、管理対象エリア１１０に誰もいない時点に、全ての許可ＩＤ情報が無効な状態で、以下に説明する動作を開始する。
【００８２】
ステップＳ１１００において、顔情報取得部３２０は、顔検出装置２００から顔認証の成功を示す顔情報を受信したか否かを判定する。
【００８３】
顔情報取得部３２０は、顔認証の成功を示す顔情報を受信した場合（Ｓ１１００：ＹＥＳ）、処理をステップＳ１２００へ進める。また、顔情報取得部３２０は、顔認証の成功を示す顔情報を受信していない場合（Ｓ１１００：ＮＯ）、処理を後述のステップＳ１３００へ進める。
【００８４】
ステップＳ１２００において、ＩＤ情報設定部３４０は、顔認証が成功した許可ＩＤ情報を有効化する。
【００８５】
ステップＳ１３００において、ＩＤ認証部３５０は、カードリーダ１３１からＩＤ情報を受信したか否かを判定する。かかるＩＤ情報は、つまり、区画扉１３０を通過しようとする、管理対象エリア１１０に位置する人（以下「進入者」という）が所持するＩＣカード１２１のＩＤ情報である。
【００８６】
ＩＤ認証部３５０は、進入者のＩＣカード１２１のＩＤ情報を受信した場合（Ｓ１３００：ＹＥＳ）、処理をステップＳ１４００へ進める。また、ＩＤ認証部３５０は、進入者のＩＣカード１２１のＩＤ情報を受信していない場合（Ｓ１３００：ＮＯ）、処理を後述のステップＳ１７００へ進める。
【００８７】
ステップＳ１４００において、ＩＤ認証部３５０は、受信されたＩＤ情報が、有効な許可ＩＤ情報であるか否かを判定する。
【００８８】
ＩＤ認証部３５０は、受信されたＩＤ情報が有効な許可ＩＤ情報である場合（Ｓ１４００：ＹＥＳ）、処理をステップＳ１５００へ進める。また、ＩＤ認証部３５０は、受信されたＩＤ情報が有効な許可ＩＤ情報ではない場合、つまり、無効な許可ＩＤ情報または無許可ＩＤ情報である場合（Ｓ１４００：ＮＯ）、処理を後述のステップＳ１６００へ進める。
【００８９】
ステップＳ１５００において、ＩＤ認証部３５０は、進入者が権限者であると判定する。その結果、扉制御部３６０は、区画扉１３０を所定の時間（例えば５秒）だけ開放させる事を指示する扉制御情報を送信する。なお、所定の時間が経過した後の区画扉１３０の閉鎖は、扉制御部３６０が閉鎖を指示する扉制御情報を扉制御装置１３２へ送信する事により行ってもよいし、扉制御装置１３２が自律的に行ってもよい。
【００９０】
ステップＳ１６００において、ＩＤ認証部３５０は、進入者が非権限者である、つまり、非権限者が管理対象エリア１１０に位置して区画扉１３０を通過しようとしていると判定する。その結果、異常処理部３７０は、非権限者が管理対象エリア１１０に進入した事を管理者に通知すべく、異常発生情報を送信する。
【００９１】
ステップＳ１７００において、ＩＤ情報設定部３４０は、退出用カードリーダ１７１からＩＤ情報を受信したか否かを判定する。かかるＩＤ情報は、つまり、管理対象エリア１１０から退出する人（以下「退出者」という）が所持するＩＣカード１２１のＩＤ情報である。
【００９２】
ＩＤ情報設定部３４０は、退出者のＩＣカード１２１のＩＤ情報を受信した場合（Ｓ１７００：ＹＥＳ）、処理をステップＳ１８００へ進める。また、ＩＤ情報設定部３４０は、退出者のＩＣカード１２１のＩＤ情報を受信していない場合（Ｓ１７００：ＮＯ）、処理を後述のステップＳ１９００へ進める。
【００９３】
ステップＳ１８００において、ＩＤ情報設定部３４０は、退出者のＩＣカード１２１のＩＤ情報が有効な許可ＩＤ情報である場合、当該許可ＩＤ情報を無効化する。
【００９４】
そして、ステップＳ１９００において、顔認証部２４０は、管理者操作等により、管理対象エリア１１０への人の進入を管理する処理の終了を指示されたか否かを判定する。
【００９５】
顔認証部２４０は、処理の終了を指示されていない場合（Ｓ１９００：ＮＯ）、処理をステップＳ１１００へ戻す。また、顔認証部２４０は、処理の終了を指示された場合（Ｓ１９００：ＹＥＳ）、一連の処理を終了する。
【００９６】
このような動作により、入退管理装置３００は、管理対象エリア１１０の入り口１４０における顔認証の結果に応じて、許可ＩＤ情報の有効性を切り替える事ができる。また、入退管理装置３００は、カードリーダ１３１によってＩＤ情報が取得される毎に、当該ＩＤ情報が有効な許可ＩＤ情報であるか否かに基づいてＩＤ認証を行い、その結果に応じて区画扉１３０の開閉状態を制御したり警告を出力したりする事ができる。
【００９７】
＜システムの動作＞
次に、入退管理システム１００の動作について説明する。
【００９８】
図７は、入退管理システム１００の動作の一例を示すシーケンス図である。ここでは、主要な動作に絞って説明を行う。
【００９９】
管理対象エリア１１０の入り口１４０を人が通行し（Ｓ２０１０）、その人の顔を含む撮影映像がカメラ１５０から送信されると（Ｓ２０２０）、顔検出装置２００の顔検出部２３０は、当該撮影映像から顔領域を検出する（Ｓ２０３０）。そして、顔検出装置２００の顔認証部２４０は、撮影映像に含まれる顔に対して顔認証を行い（Ｓ２０４０）、顔認証の結果（顔認証が成功した許可ＩＤ情報）を入退管理装置３００へ通知する（Ｓ２０５０）。
【０１００】
かかる通知を受けた入退管理装置３００は、ＩＤ情報設定部３４０において、顔認証が成功した許可ＩＤ情報を有効化する（Ｓ２０６０）。
【０１０１】
そして、カードリーダ１３１に対してＩＣカード１２１を近付けるカード操作が行われると（Ｓ２０７０）、カードリーダ１３１は、ＩＣカード１２１から当該ＩＣカード１２１のＩＤ情報を取得し、入退管理装置３００のＩＤ認証部３５０へ通知する（Ｓ２０８０）。すると、ＩＤ認証部３５０は、通知されたＩＤ情報が有効な許可ＩＤ情報であるか否かを判定するＩＤ認証を行い（Ｓ２０９０）、ＩＤ認証が成功した場合、扉制御部３６０を介して区画扉１３０を一時的に開放させる。
【０１０２】
一方、ＩＤ認証部３５０は、ＩＤ認証が失敗した場合、その旨（認証結果）を異常処理部３７０へ通知する（Ｓ２１００）。この結果、異常処理部３７０は、非権限者が管理対象エリア１１０に進入しているという異常が発生した旨を通知する（Ｓ２１１０）。この場合、区画扉１３０は、閉鎖されたままとなる。
【０１０３】
また、退出用カードリーダ１７１に対してＩＣカード１２１を近付けるカード操作が行われると（Ｓ２１２０）、退出用カードリーダ１７１は、ＩＣカード１２１から当該ＩＣカード１２１のＩＤ情報を取得し、入退管理装置３００のＩＤ情報設定部３４０へ通知する（Ｓ２１３０）。すると、ＩＤ情報設定部３４０は、通知されたＩＤ情報が有効な許可ＩＤ情報である場合、当該許可ＩＤ情報を無効化する（Ｓ２１４０）。
【０１０４】
このような動作により、入退管理システム１００は、非権限者が管理対象エリア１１０に進入した場合に、その旨をより確実に検出して通知する事ができる。
【０１０５】
なお、入退管理装置３００は、退出用カードリーダ１７１から受信したＩＤ情報についても、ＩＤ認証部３５０においてＩＤ認証を行ってもよい。
【０１０６】
＜本実施の形態の効果＞
以上のように、本実施の形態に係る入退管理システム１００は、入退管理装置３００を有する。この入退管理装置３００は、管理対象エリア１１０の入り口に位置する人の顔に基づいて、入り口１４０に位置する人が管理対象エリア１１０への進入権限を有する人である権限者であるか否かを判定する、顔認証の結果を取得する顔情報取得部３２０と、顔認証の結果に応じて、権限者が所持するＩＣカード１２１（端末）に割り当てられたＩＤ情報である許可ＩＤ情報の有効性を切り替えるＩＤ情報設定部３４０とを有する。また、入退管理装置３００は、管理対象エリア１１０に位置する人が所持するＩＣカード１２１のＩＤ情報を取得し、取得されたＩＤ情報が有効な許可ＩＤ情報ではないとき、進入権限を有さない人である非権限者が管理対象エリア１１０に位置していると判定する、ＩＤ認証を行うＩＤ認証部３５０を有する。更に、入退管理装置３００は、非権限者が管理対象エリア１１０に位置していると判定されたとき、非権限者が管理対象エリア１１０に位置している事に対応する所定の処理を行う扉制御部３６０および異常処理部３７０（管理処理部）を有する。
【０１０７】
これにより、本実施の形態に係る入退管理システム１００は、非権限者が管理対象エリア１１０に進入したときに、その旨を管理者に通知したり、区画扉１３０を閉鎖したままとする事ができ、より信頼性の高い入退管理を実現する事ができる。
【０１０８】
＜本実施の形態の変形例＞
なお、入退管理装置３００は、管理対象エリア１１０に位置する人が所持するＩＣカード１２１から取得されたＩＤ情報が無効な許可ＩＤ情報である場合、区画扉１３０の閉鎖を行わずに管理者への通知のみを行ってもよいし、逆に、区画扉１３０の閉鎖のみを行ってもよい。
【０１０９】
また、権限者であるにもかかわらず、顔認証が失敗する場合がある。したがって、入退管理装置３００は、無効な許可ＩＤ情報がＩＣカード１２１から取得された場合、当該ＩＣカード１２１を所持する人に対して、権限者であるか否かを判定する追加的な認証処理を実施してもよい。
【０１１０】
例えば、入退管理システム１００は、区画扉１３０の近傍に番号入力インタフェースを備える。そして、入退管理装置３００のＩＤ認証部３５０は、無効な許可ＩＤ情報が取得された場合、番号入力インタフェースと通信を行い、ＩＣカード１２１毎（つまり権限者毎）に割り当てられた暗証番号の入力を促すガイダンスを出力させる。そして、ＩＤ認証部３５０は、番号入力インタフェースに入力された番号を、取得されたＩＤ情報に対応する暗証番号と照合し、一致した場合にはＩＤ認証成功とするとともに、ＩＤ情報設定部３４０に対して、対応する許可ＩＤ情報を有効化させる。
【０１１１】
これにより、入退管理システム１００は、権限者の顔認証が失敗した場合でも、許可ＩＤ情報の有効性を的確に設定する事ができる。すなわち、入退管理システム１００は、権限者に対し、管理対象エリア１１０内を自由に行き来する事ができないといった不都合を与えるのを、極力回避した状態で、上述の信頼性の高い入退管理を実現する事ができる。
【０１１２】
また、入退管理システム１００は、管理対象エリア１１０の入り口に、区画扉１３０と同様の、通常状態において閉鎖された扉と、扉制御装置とを有してもよい。そして、扉制御部３６０は、顔認証が成功した事を条件として、入り口の扉を一時的に開放させてもよい。これにより、入退管理システム１００は、権限者が紛失したＩＣカード１２１を不正に取得した非権限者等が、管理対象エリア１１０に不正に進入するのを防ぐ事ができる。
【０１１３】
また、入退管理システム１００は、管理対象エリア１１０の入り口１４０に、更にカードリーダを備え、顔認証結果を用いたＩＤ認証を、かかる入り口１４０において実施してもよい。そして、扉制御部３６０は、非権限者が管理対象エリア１１０の入り口１４０に位置していると判定されたとき、入り口の扉を閉鎖させたままとしてもよい。これにより、入退管理システム１００は、非権限者が管理対象エリア１１０に進入するのを、より確実に防止する事ができる。
【０１１４】
あるいは、入退管理システム１００は、管理対象エリア１１０の入り口でＩＤ認証が開始された事をトリガとして、撮影映像の取得や、顔検出および顔認識を行ってもよい。これにより、入退管理システム１００は、撮影映像の取得、顔検出、顔認識等の処理を、管理対象エリア１１０に進入しようとする人が存在する時に絞って行う事ができる。
【０１１５】
また、入退管理装置３００のＩＤ情報設定部３４０は、有効な許可ＩＤ情報を、当該許可ＩＤ情報が有効化されてからの経過時間が所定の閾値に到達したときに、無効化してもよい。あるいは、ＩＤ情報設定部３４０は、金曜日の夜１０時といった所定のタイミングで、有効な許可ＩＤ情報を無効化してもよい。
【０１１６】
これにより、入退管理装置３００は、権限者が管理対象エリア１１０の退出する際に、当該権限者が所持するＩＣカード１２１からＩＤ情報を取得できなかった場合等に対応する事ができる。
【０１１７】
また、入退管理システム１００は、管理対象エリア１１０の出口１７０に、区画扉１３０と同様に、通常状態において閉鎖された扉と、扉制御装置と、カードリーダとを備え、顔認証結果を用いたＩＤ認証を、かかる出口１７０において実施してもよい。
【０１１８】
これにより、入退管理システム１００は、非権限者が管理対象エリア１１０に進入した場合に、かかる非権限者を逃がさないようにする事ができる。
【０１１９】
また、権限者に割り当てられたＩＤ情報を保持する端末は、ＩＣカードに限定されるものではない。かかる端末は、例えば、携帯電話機等、携帯可能な各種端末であってもよい。また、かかる端末は、光や音等の電波以外の無線通信によりＩＤ情報を出力するものであってもよいし、コネクタを用いた有線通信によりＩＤ情報を出力するものであってもよい。
【０１２０】
また、顔検出装置２００および入退管理装置３００は、上述の通り、管理対象エリア１１０毎に顔認証およびＩＤ認証を行う事が望ましい。そして、この場合、入退管理装置３００の異常処理部３７０は、どの管理対象エリア１１０において非権限者が検出されたかを、管理者等に対して通知する事が望ましい。
【０１２１】
また、非権限者が検出されたときに入退管理側通信部３１０の管理処理部（本実施の形態では、扉制御部３６０および異常処理部３７０）が行う所定の処理は、上述の例に限定されない。例えば、かかる所定の処理は、管理対象エリア１１０あるいはパーソナルコンピュータ４００において、警告音の鳴動あるいは光の点滅をさせる処理や、警備員の通信端末に警告情報を送信する処理や、ＩＤ認証が行われた場所以外の扉をロックさせる処理等であってもよい。
【０１２２】
また、入退管理装置３００の部分は、入退管理装置３００の他の部分と、物理的に離隔して配置されていてもよい。この場合、離隔した各部分は、互いに通信を行うための通信回路を備える必要がある。
【０１２３】
また、顔検出装置２００の少なくとも一部と、入退管理装置３００の少なくとも一部は、一体的に構成されていてもよい。例えば、入退管理装置３００の顔情報取得部３２０は、顔検出装置２００の顔検出部２３０および顔認証部２４０の機能を有し、顔検出や顔認識を行う事により顔情報を取得してもよい。
【０１２４】
＜本開示のまとめ＞
本開示に係る入退管理装置は、管理対象エリアの入り口に位置する人の顔に基づいて、前記入り口に位置する人が前記管理対象エリアへの進入権限を有する人である権限者であるか否かを判定する、顔認証の結果を取得する顔情報取得部と、前記顔認証の結果に応じて、前記権限者が所持する端末に割り当てられたＩＤ情報である許可ＩＤ情報の有効性を切り替えるＩＤ情報設定部と、前記管理対象エリアおよび／または前記入り口である所定のエリアに位置する人が所持する端末のＩＤ情報を取得し、取得された前記ＩＤ情報が有効な前記許可ＩＤ情報ではないとき、前記進入権限を有さない人である非権限者が前記所定のエリアに位置していると判定する、ＩＤ認証を行うＩＤ認証部と、前記非権限者が前記所定のエリアに位置していると判定されたとき、前記非権限者が前記所定のエリアに位置している事に対応する所定の処理を行う管理処理部と、を有する。
【０１２５】
なお、上記入退管理装置において、前記ＩＤ認証は、前記管理対象エリアに位置する人が所持する端末のＩＤ情報を取得し、取得された前記ＩＤ情報が有効な前記許可ＩＤ情報ではない事を条件として、前記管理対象エリアに前記非権限者が位置していると判定するエリア内ＩＤ認証を含み、前記管理処理部は、前記非権限者が前記管理対象エリアに位置していると判定されたとき、前記非権限者が前記管理対象エリアに位置している事に対応する所定の異常処理を行う異常処理部、を有してもよい。
【０１２６】
また、上記入退管理装置において、前記所定の異常処理は、前記管理対象エリアの管理者に対して、前記非権限者が前記管理対象エリアに位置している事を通知する処理を含んでもよい。
【０１２７】
また、上記入退管理装置において、前記許可ＩＤ情報は、初期状態において無効であり、前記ＩＤ情報設定部は、前記顔認証の結果が、前記入り口に位置する人が前記権限者である事を示すとき、対応する前記許可ＩＤ情報を有効化してもよい。
【０１２８】
また、上記入退管理装置において、前記ＩＤ情報設定部は、前記管理対象エリアを人が退出する際に、当該管理対象エリアを退出する人が所持する端末のＩＤ情報を取得し、取得された前記ＩＤ情報が有効な前記許可ＩＤ情報であるとき、当該許可ＩＤ情報を無効化してもよい。
【０１２９】
また、上記入退管理装置において、前記ＩＤ情報設定部は、有効な前記許可ＩＤ情報を、当該前記許可ＩＤ情報が有効化されてからの経過時間が所定の閾値に到達したときに無効化してもよい。
【０１３０】
また、上記入退管理装置において、前記ＩＤ認証は、前記入り口に位置する人が所持する端末のＩＤ情報を取得し、取得された前記ＩＤ情報が有効な前記許可ＩＤ情報である事を条件として、前記入り口に前記権限者が位置していると判定する入り口ＩＤ認証を含み、前記管理処理部は、前記入り口ＩＤ認証の結果に応じて、前記入り口の開閉状態を制御する扉制御部、を有してもよい。
【０１３１】
また、上記入退管理装置において、前記入り口は、初期状態において閉鎖しており、前記扉制御部は、前記入り口に前記権限者が位置していると判定されたとき、前記入り口を一時的に開放させてもよい。
【０１３２】
また、上記入退管理装置は、前記入り口を撮影した画像に対し前記顔認識を行う顔検出装置と通信を行う通信部、を有し、前記顔情報取得部は、前記通信部を介して、前記顔検出装置から前記顔認識の結果を取得してもよい。
【０１３３】
本開示の入退管理方法は、管理対象エリアの入り口に位置する人の顔に基づいて、前記入り口に位置する人が前記管理対象エリアへの進入権限を有する人である権限者であるか否かを判定する、顔認証の結果を取得するステップと、前記顔認証の結果に応じて、前記権限者が所持する端末に割り当てられたＩＤ情報である許可ＩＤ情報の有効性を切り替えるステップと、前記管理対象エリアおよび／または前記入り口である所定のエリアに位置する人が所持する端末のＩＤ情報を取得し、取得された前記ＩＤ情報が有効な前記許可ＩＤ情報ではないとき、前記進入権限を有さない人である非権限者が前記所定のエリアに位置していると判定する、ＩＤ認証を行うステップと、前記非権限者が前記所定のエリアに位置していると判定されたとき、前記非権限者が前記所定のエリアに位置している事に対応する所定の処理を行うステップと、を有する。
【産業上の利用可能性】
【０１３４】
本開示に係る入退管理装置および入退管理方法は、より信頼性の高い入退管理を実現する事ができる入退管理装置および入退管理方法として有用である。
【符号の説明】
【０１３５】
１００  入退管理システム
１１０  管理対象エリア
１２１  ＩＣカード
１３０  区画扉
１３１  カードリーダ
１３２  扉制御装置
１４０  入り口
１５０  カメラ
１６０  通信ネットワーク
１７０  出口
１７１  退出用カードリーダ
２００  顔検出装置
２１０  顔検出側通信部
２２０  顔情報格納部
２３０  顔検出部
２４０  顔認証部
３００  入退管理装置
３１０  入退管理側通信部
３２０  顔情報取得部
３３０  ＩＤ情報格納部
３４０  ＩＤ情報設定部
３５０  ＩＤ認証部
３６０  扉制御部
３７０  異常処理部
４００  パーソナルコンピュータ
【図１】
2017010380.tif 000003
【図２】
2017010380.tif 000004
【図３】
2017010380.tif 000005
【図４】
2017010380.tif 000006
【図５】
2017010380.tif 000007
【図６】
2017010380.tif 000008
【図７】
2017010380.tif 000009